(57)【要約】【課題】ケイ素水を生成可能な水素水生成器、ケイ素水生成機能付き電気ケトル及びケイ素水生成機能付き携帯ボトルを提供する。【解決手段】水が注入される容器９と、容器９の開口部１０を閉口する蓋１１と、を備え、蓋１１の裏面側にはセラミックボールＰを収容可能であり、かつ、蓋１１と着脱可能に取り付けられるカートリッジ１５を有するとともに、さらに、容器９を有するケトル本体３と、ケトル本体３に電力を供給する給電部８と、容器９内に注入された水を給電部８からの電力で加熱する加熱部１４を備える。【選択図】図１
2018058051.tif 000002
【特許請求の範囲】
【請求項１】
液体に浸漬されたセラミックボールによってケイ素水を生成するケイ素水生成器であって、
液体が注入される容器と、
前記容器の開口部を閉口する蓋と、を備え、
前記蓋の裏面側には前記セラミックボールを収容可能であり、かつ、前記蓋と着脱可能に取り付けられるカートリッジを有すること
を特徴とするケイ素水生成器。
【請求項２】
請求項１に記載のケイ素水生成器は、ケイ素水生成機能付き電気ケトルであって、
前記容器を有するケトル本体と、
前記ケトル本体に電力を供給する給電部と、
前記容器内に注入された液体を前記給電部からの電力で加熱する加熱部と、備えたこと
を特徴とするケイ素水生成機能付き電気ケトル。
【請求項３】
請求項１に記載のケイ素水生成器は、水素水生成機能付き携帯ボトルであって、
前記容器を有するボトル本体と、前記蓋とは着脱可能に取り付けられること
を特徴とするケイ素水生成機能付き携帯ボトル。
【発明の詳細な説明】
【技術分野】
【０００１】
本発明は、水に浸漬されたセラミックボールによってケイ素水を生成するケイ素水生成器、ケイ素水生成機能付き電気ケトル及びケイ素水生成機能付き携帯ボトルに関する。
【背景技術】
【０００２】
化粧品やミネラル水に入っているケイ素水は、近年、ダイエット効果、美容や健康を保つことが出来るとして注目を集めており、このようなケイ素水を手軽に生成できるものとして特許文献１に記載のシリカ（ケイ素）入り水素豊富水生成器（以下「水素豊富水生成器」という）がある。
【０００３】
水素豊富水生成器は、次のように構成され、次のようにしてシリカ成分を豊富に含む水素豊富水を生成している。すなわち、ケース（１）は、水の入った容器に挿入可能であり、内部に水が出入り可能に筒状に構成されている。ケース（１）内には金属マグネシウム（５）と、水溶性のシリカ（６）が配置されている。金属マグネシウム（５）と、水溶性のシリカ（６）は通水性の袋体（４）に充填されている。金属マグネシウム（５）と、水溶性のシリカ（６）は、容器内の水をシリカ成分を豊富に含む水素豊富水に変える（以上、カッコ内の符号は特許文献１に使用されている符号である）。
【０００４】
この水素豊富水生成器を使用すれば、確かに気軽にケイ素水が生成できる。しかしながら、この水素豊富水生成器は、ペットボトル等の容器内に単に水素豊富水生成器を投入するだけであり、シリカを取り替える際に手間がかかるといった問題が生ずる。
【先行技術文献】
【特許文献】
【０００５】
【特許文献１】実用新案登録第３２０４８８０号公報
【発明の概要】
【発明が解決しようとする課題】
【０００６】
本発明はこのような問題を解決するためになされたものであり、その目的とするところは、ケイ素水を生成するセラミックボールを取り替えるのが容易なケイ素水生成器、水素水生成機能付き電気ケトル及び水素水生成機能付き携帯ボトルを提供することにある。
【課題を解決するための手段】
【０００７】
前記の目的を達成するため、本発明のケイ素水生成器は、液体に浸漬されたセラミックボールによってケイ素水を生成するケイ素水生成器であって、液体が注入される容器と、前記容器の開口部を閉口する蓋と、を備え、前記蓋の裏面側には前記セラミックボールを収容可能であり、かつ、前記蓋と着脱可能に取り付けられるカートリッジを有することを特徴とする。
【０００８】
また、前記ケイ素水生成器は、ケイ素水生成機能付き電気ケトルであって、前記容器を有するケトル本体と、前記ケトル本体に電力を供給する給電部と、前記容器内に注入された液体を前記給電部からの電力で加熱する加熱部と、を備えたケイ素水生成機能付き電気ケトルであってもよい。
【０００９】
また、前記ケイ素水生成器は、水素水生成機能付き携帯ボトルであって、前記容器を有するボトル本体と、前記蓋とは着脱可能に取り付けられることを特徴とするケイ素水生成機能付き携帯ボトルであってもよい。
【発明の効果】
【００１０】
以上の構成から明らかなように、本発明は、液体に浸漬されたセラミックボールによってケイ素水を生成するケイ素水生成器であって、液体が注入される容器と、前記容器の開口部を閉口する蓋と、を備え、前記蓋の裏面側には前記セラミックボールを収容可能であり、かつ、前記蓋と着脱可能に取り付けられるカートリッジを有するように構成した。これにより、従来に比して、ケイ素水を生成するセラミックボールを取り替えるのが容易であるという効果がある。
【００１１】
さらに、本発明のケイ素水生成機能付き電気ケトルにおいては、前記容器を有するケトル本体と、前記ケトル本体に電力を供給する給電部と、前記容器内に注入された液体を前記給電部からの電力で加熱する加熱部と、備えるように構成した。これにより、ケイ素水を生成しながら加熱することができることから、沸かしたケイ素水を使用したお茶や紅茶等をすぐに提供することが可能であるという効果がある。
【図面の簡単な説明】
【００１２】
【図１】本発明のケイ素水生成機能付き電気ケトルの外観を示す説明図である。
【図２】本発明のケイ素水生成機能付き電気ケトルの給電部の構造を示す説明図である。
【図３】図１に示す蓋の図であり、（ａ）は正面図、（ｂ）は上面図、（ｃ）は下面図、（ｄ）は（ａ）のＡ−Ａ矢視断面図である。
【図４】図１に示すカートリッジの図であり、（ａ）は斜視図、（ｂ）は正面図、（ｃ）はセラミックボールが収容された斜視図、（ｄ）は蓋に取り付ける状態を示す説明図である。
【図５】蓋に取りけられたカートリッジを容器内に挿入する状態を示す説明図である。
【図６】本発明のケイ素水生成機能付き携帯ボトルの外観を示す説明図である。
【図７】図６に示すキャップの図であり、（ａ）は正面図、（ｂ）は（ａ）のＢ−Ｂ矢視断面図である。
【図８】図６に示すボトル本体の斜視図である。
【図９】図１に示すケイ素水生成機能付き携帯ボトルを構成する各構成の取り付け方を示す説明である。
【発明を実施するための形態】
【００１３】
以下、本発明を実施するための形態について、図面を参照しながら説明する。
【００１４】
図１は本発明の第１実施形態を示すもので、本実施形態のケイ素水生成機能付き電気ケトル１Ａは、給電スタンド２と、この給電スタンド２に載置されるとともに水が注入される容器９を有するケトル本体３と、容器９の開口部１０を閉口する蓋１１を備えて構成されている。
【００１５】
蓋１１の裏面側にはセラミックボールＰが複数収容されたカートリッジ１５が取り付けられており、容器９内に水を注水するとセラミックボールＰが浸漬され、セラミックボールＰからケイ素が容器９内の水に溶出しケイ素水ができる。各構成に関する構造説明及び取付構造については後述する。なお、図１においては、説明の便宜上、ケトル本体３及び容器９を透明なものとして図示しているがこれに限定されるものではない。
【００１６】
給電スタンド２は、図２に示すように、円盤状のスタンド本体４の上面に円形凸状の接続端子５が設けられており、電源コード６のプラグ７を商用電源のコンセント（図示略）に差し込むことにより、接続端子５から電力を供給可能な状態になる。一方、ケトル本体３の底面には、接続端子５に嵌合する円形凹状の給電部８が設けられており、ケトル本体３を給電スタンド２の上に載せると給電部８が接続端子５に接触し、給電部８を介してケトル本体３に電力が供給されるようになっている。
【００１７】
ケトル本体３は、水が注入される金属製の容器９を有しており、この容器９の底面には容器９内の液体を加熱する加熱部１４が設けられている。この加熱部１４は、給電部８に電気的に接続された円形状のシーズヒーターからなり、給電部８から供給された電力により、容器９内に注入された液体を下方から加熱して沸騰させるようになっている。
【００１８】
ケトル本体３の側面には容器９内の水を取り出すための注ぎ口１２が設けられており、この注ぎ口１２に対向する側面には、液体を注ぐ際の持ち手となるハンドル１３が一体に設けられている。
【００１９】
加熱部１４の電源のＯＮ／ＯＦＦは、容器９の下部に設けられたレバー式の電源スイッチ１６を押して切り替えるようにし、新しい外観のデザインを損なわないように考慮している。なお、容器９はステンレス製で内部が見えないため、容器９の側面に目盛付きの水量確認窓（図示しない）を設け、内部の水量や沸騰する様子を目で見て確認できるようになっている。この水量確認窓は容器９の側面のどの箇所に設けられていてもよく、縦長の目盛が付いていることが望ましい。
【００２０】
ケトル本体３の上側には、容器９上面の開口部１０を開閉する蓋１１が取り外し可能に設けられており、蓋１１の裏面側には円筒形の網目状（あるいは格子状）のカートリッジ１５が着脱可能に取り付けられている。
【００２１】
次に、蓋１１、カートリッジの構造及びこれらの取付構造について図３及び４を参照して説明する。
【００２２】
図３に示すとおり、蓋１１の裏面側には雌ネジ部１１０が設けられている。他方、カートリッジ１５は、図４に示すとおり、円筒形の網目状（あるいは格子状）の収容部１５０と、この収容部１５０の上側に設けられた雄ネジ部１５１とからなり、開口部１５２からセラミックボールＰを投入し収容部１５０内に収容することができる。雄ネジ部１５１の外径は、蓋１１の雌ネジ部１１０の内径に対応しているので、蓋１１の裏面側にカートリッジ１５をネジ止めすることができる。このように構成したことにより、セラミックボールＰを取り替える際には、ケトル本体３に設置された蓋１１を取り外し、蓋１１からカートリッジ１５を取り外せば容易にセラミックボールＰを交換することができる。
【００２３】
このカートリッジ１５０は、図１に示すとおり、収容部１５０内に複数のセラミックボールＰを収容した状態で容器９に充填された水の中に浸漬される。従って、カートリッジ１５０の長さは、容器９内の水が少ない状態でも水中にセラミックボールＰが浸漬されるような長さに設計することが好ましい。
【００２４】
カートリッジ１５の収容部１５０内に収容するセラミックボールＰは、二酸化ケイ素、酸化アルミニウム、酸化ナトリウム、酸化カリウムなどのシリカ成分を持った素材からできるシリカセラミックボールであり、高純度活性炭、化石サンゴ、バイオセラミックスなども含んだ成分で構成されている。これにより溶出されるケイ素水は、天然ミネラルを豊富に含む水溶性ケイ素の特徴を持った良質のケイ素水が生成される。セラミックボールＰから溶出されるカルシウムイオンにより、水をアルカリ化させ、さらに、カルシウムイオンとセラミックスの作用により水の分子を小さくし活性化させることで、細胞への浸透効果を高め、まろやかな水を作ることができる。
【００２５】
次に、ケイ素水生成機能付き電気ケトル１Ａの使用方法について説明する。
【００２６】
まず、電源コード６のプラグ７を商用電源のコンセントに差し込み、給電スタンド２をセットしておく。これにより給電スタンド２は接続端子５から電力を供給可能なスタンバイ状態になる。
【００２７】
次に、図４（ｃ）に示すように、カートリッジ１５内の収容部１５０にセラミックボールＰを必要量充填し、同図（ｄ）に示すように、このカートリッジ１５を蓋１１にネジ止めする。
【００２８】
他方、容器９内に必要な量の水を注入しておき、このカートリッジ１５が取り付けられた蓋１１を図５に示すように開口部１０から挿入して蓋１１を閉めた後、ケトル本体３を給電スタンド２の上に載せて電源スイッチ１６をＯＮにする。すると給電部８が接続端子５に接触し、給電スタンド２からケトル本体３に給電部８を介して電力が供給される。
【００２９】
すると、容器９内では、水中にセラミックボールＰからケイ素が溶出してケイ素水が生成されるとともに、このケイ素水が加熱部１４によって加熱され沸騰すると（約５分後）、沸騰感知装置（図示しない）により電源が切れる。これにより熱湯状態のケイ素水が生成される。
【００３０】
このように、本実施形態では、ケイ素水を生成しながら、生成されたケイ素水を即加熱することができ、沸騰状態のケイ素水を生成することができる。そして、この熱湯状態のケイ素水を取り出すには、ハンドル１３を握ってケトル本体３を給電スタンド２から持ち上げて、ケトル本体３を傾けることにより注ぎ口１２からその熱湯状態のケイ素水を注ぐことができる。
【００３１】
これにより、天然ミネラルを豊富に含む水溶性ケイ素の特徴を持った良質のケイ素水が含有されたお茶、紅茶、コーヒー等を気軽に楽しむことができる。
【００３２】
次に、図６乃至図９を参照して、本発明のケイ素水生成機能付き携帯ボトルの一実施形態について説明する。
【００３３】
図１に示すとおり、ケイ素水生成機能付き携帯ボトル１Ｂは、容器９０を有するボトル本体３０と、ボトル本体３０の上側に取り付けられるキャップ１１Ｂとを備える。キャップ１１Ｂには、上記ケイ素生成機能付き電気ケトル１Ａに使用されるカートリッジ１５が取り付けられ、カートリッジ１５の収容部１５０内に収容されたセラミックボールＰからケイ素が溶出するように構成されている。なお、図６においては、説明の便宜上、ボトル本体３０及び容器９０を透明なものとして図示しているがこれに限定されるものではない。
【００３４】
図７に示すとおり、蓋１１Ｂの裏面上側には雌ネジ部１１０Ｂが設けられ、裏面下側には雌ネジ部１１１Ｂが設けられている。他方、図８に示すとおり、ボトル本体３０の上側には、雄ネジ部３１が設けられており、この雄ネジ部３１の外径は雌ネジ部１１１Ｂの内径に対応し、両者はネジ止め可能になっている。
【００３５】
一方、雌ネジ部１１０Ｂの内径は、カートリッジ１５の雄ネジ部１５１に対応しており、両者はねじ止め可能になっていることから、図６に示すとおり、カートリッジ１５の収容部１５０にセラミックボールＰを収容した状態で、蓋１１Ｂの裏面側に着脱可能にカートリッジ１５を取り付けることができる。
【００３６】
本実施形態においては、カートリッジ１５を上記ケイ素水生成機能付き電気ケトル１Ａと同様の構造のものを使用しているので、カートリッジ１５をケイ素水生成機能付き電気ケトル１Ａとケイ素水生成機能付き携帯ボトル１Ｂとで使いまわすことが出来る。
【００３７】
このように構成されたケイ素水生成機能付き携帯ボトル１Ｂの使用方法を図６乃至９を参照して説明する。
【００３８】
カートリッジ１５の収容部１５０内にセラミックボールＰを必要量充填した状態で蓋１１Ｂの裏面側にネジ止めする。次いで、ボトル本体３０の容器９０内に水を注入する。この注入する水は、常温のものでもよいし、沸騰したものでもよく、さらには、上記ケイ素水生成機能付き電気ケトル１Ａによって生成された沸騰状態のケイ素水であってもよいし、これを使用したお茶、紅茶、コーヒー等であってもよい。
【００３９】
次いで、図９（ｂ）に示すとおり、この状態の蓋１１Ｂをボトル本体３０の開口部１０Ｂから挿入する。すると、図６に示した状態となり、容器９０内に充填された水をケイ素を溶出させながら持ち歩くことが出来る。
【符号の説明】
【００４０】
１：ケイ素水生成器
１Ａ：ケイ素水生成機能付き電気ケトル
２：給電スタンド
３：ケトル本体
４：スタンド本体
５：接続端子
６：電源コード
７：プラグ
８：給電部
９：容器
１０：開口部
１１：蓋
１１０：雌ネジ部
１２：注ぎ口
１３：ハンドル
１４：加熱部
１５：カートリッジ
１５０：収容部
１５１：雄ネジ部
１５２：開口部
１６：電源スイッチ
Ｐ：セラミックボール
１Ｂ：ケイ素水生成機能付き携帯ボトル
１０Ｂ：開口部
１１Ｂ：キャップ（蓋）
１１０Ｂ：雌ネジ部
１１１Ｂ：雌ネジ部
３０：ボトル本体
３１：雄ネジ部
９０：容器
【図１】
2018058051.tif 000003
【図２】
2018058051.tif 000004
【図３】
2018058051.tif 000005
【図４】
2018058051.tif 000006
【図５】
2018058051.tif 000007
【図６】
2018058051.tif 000008
【図７】
2018058051.tif 000009
【図８】
2018058051.tif 000010
【図９】
2018058051.tif 000011
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
液体に浸漬されたセラミックボールによって沸騰したケイ素水を生成するケイ素水生成機能付き電気ケトルであって、
液体が注入される金属製の容器を有する電気ケトル本体と、
前記容器の開口部を閉口する蓋と、
前記蓋の裏面側には前記セラミックボールを収容可能であり、かつ、前記蓋と着脱可能に取り付けられるカートリッジと、
前記ケトル本体に電力を供給する給電部と、
前記金属製の容器内に注入された液体を前記給電部からの電力で加熱する、前記金属製の容器の底面に設けられた加熱部と、を備えること、を特徴とするケイ素水生成機能付き電気ケトル。
【請求項２】
前記金属製の容器内の液体が少ない状態でも液体中に前記セラミックボールが浸漬されることを特徴とする請求項１に記載のケイ素水生成機能付き電気ケトル。
【手続補正３】
【補正対象書類名】明細書
【補正対象項目名】０００７
【補正方法】変更
【補正の内容】
【０００７】
前記の目的を達成するため、本発明のケイ素水生成機能付き電気ケトルは、液体に浸漬されたセラミックボールによって沸騰したケイ素水を生成するケイ素水生成機能付き電気ケトルであって、液体が注入される金属製の容器を有する電気ケトル本体と、
前記容器の開口部を閉口する蓋と、前記蓋の裏面側には前記セラミックボールを収容可能であり、かつ、前記蓋と着脱可能に取り付けられるカートリッジと、前記ケトル本体に電力を供給する給電部と、前記金属製の容器内に注入された液体を前記給電部からの電力で加熱する、前記金属製の容器の底面に設けられた加熱部と、を備えること、を特徴とする。
【手続補正４】
【補正対象書類名】明細書
【補正対象項目名】０００８
【補正方法】変更
【補正の内容】
【０００８】
前記の目的を達成するため、前記金属製の容器内の液体が少ない状態でも液体中に前記セラミックボールが浸漬されることを特徴とする。